(57)【要約】【課題】  汚物の洗浄用だけではなく給水管をもつ施設既設配管の任意の箇所に配管用孔明具付分岐器具を簡単に装着して給水源とし、給止水ハンドル付き等のシャワーヘッドを利用することのできる配管用孔明具付分岐器具及び洗浄器具の提供である。【解決手段】  配管の一側面を挟持する溝部を形成してなる配管止め具と、配管の他側面を挟持する溝部を形成すると共に、ホースを取り付ける連結部を設け、該連結部に連通する孔明具取付部を設けてなる配管孔明連結具と、該孔明具取付部に取り付ける孔明具とからなることを特徴とする。【選択図】  図１
2005120800.tif 000002
【特許請求の範囲】
【請求項１】
配管の一側面を挟持する溝部を形成してなる配管止め具と、配管の他側面を挟持する溝部を形成すると共に、ホースを取り付ける連結部を設け、該連結部に連通する孔明具取付部を設けてなる配管孔明連結具と、該孔明具取付部に取り付ける孔明具とからなることを特徴とする配管用孔明具付分岐器具。
【請求項２】
溝部が、半円弧状であることを特徴とする請求項１記載の配管用孔明具付分岐器具。
【請求項３】
溝部に、止水材を設けてなることを特徴とする請求項１又は２記載の配管用孔明具付分岐器具。
【請求項４】
連結部が、雌ネジであることを特徴とする請求項１、２又は３記載の配管用孔明具付分岐器具。
【請求項５】
孔明具取付部が、雌ネジを設けてなることを特徴とする請求項１、２、３又は４記載の配管用孔明具付分岐器具。
【請求項６】
孔明具が、軸の先端に尖端状の孔明加工部を設け、後端にハンドル部を設けると共に、中間に止水材及び雄ネジ部を設けてなることを特徴とする請求項１、２、３、４又は５記載の配管用孔明具付分岐器具。
【請求項７】
請求項１ないし請求項６の配管用孔明具付分岐器具の連結部に、先端にシャワーヘッド等を設けたホースの下部を連結してなることを特徴とする洗浄器具。
【発明の詳細な説明】
【技術分野】
【０００１】  本発明は、主に給水管に大掛かりな工事を要さず簡単に取り付けることができる配管用孔明具付分岐器具及び洗浄器具に関するものである。
【背景技術】
【０００２】  汚物入れ容器を洗浄する洗浄ノズルの従来技術としては、止水金具に水量調節バルブを介して洗浄ノズルを接続し、タンク側部のハンガー部に洗浄ノズルを掛止する際、常に所定の方向に向くようハンガー部に設けた案内溝部と洗浄ノズル部に設けた凸部で構成された洗浄ノズルとハンガー部の位置決め手段を設け、床への水漏れ対策を施すことを特徴としたものがある。（特許文献１参照）【０００３】
【特許文献１】  特願平１１−９４３８２号公報（請求項１、図１）
【発明の開示】
【発明が解決しようとする課題】
【０００４】  しかしながら、この特願平１１−９４３８２号公報に開示された洗浄ノズルは吐水装置を備えた便所装置となっており、簡単に設置できないこと、水量調節を行わないといけないこと、ノズル使用後給水バルブを閉める必要があることの欠点があった。【０００５】  そこで本発明が解決しようとする課題は、汚物の洗浄用だけではなく給水管をもつ施設既設配管の任意の箇所に配管用孔明具付分岐器具を簡単に装着して給水源とし、給止水ハンドル付き等のシャワーヘッドを利用することのできる配管用孔明具付分岐器具及び洗浄器具の提供である。
【課題を解決するための手段】
【０００６】  前記課題を解決するため、本発明の配管用孔明具付分岐器具は、配管の一側面を挟持する溝部を形成してなる配管止め具と、配管の他側面を挟持する溝部を形成すると共に、ホースを取り付ける連結部を設け、該連結部に連通する孔明具取付部を設けてなる配管孔明連結具と、該孔明具取付部に取り付ける孔明具とからなること。また、溝部が、半円弧状であること。溝部に、止水材を設けてなること。さらに、連結部が、雌ネジであること。孔明具取付部が、雌ネジを設けてなること。その上、孔明具が、軸の先端に尖端状の孔明加工部を設け、後端にハンドル部を設けると共に、中間に止水材及び雄ネジ部を設けてなることを特徴とする。
また、本発明の洗浄器具は、請求項１ないし請求項６の配管用孔明具付分岐器具の連結部に、先端にシャワーヘッド等を設けたホースの下部を連結してなることを特徴とする。
【発明の効果】
【０００７】１）、配管止め具と配管孔明接続具と孔明具とから構成することにより、配管の所要位置に、孔を明け、給排を自在にできる効果を有する。
２）、配管として、水のみならず、他の液体や気体にも応用できる効果を有する。
３）、止水材を設けることにより、特に水（液体）が漏れることなく使用できる効果を有する。
４）、連結部や孔明具取付部を雌ネジとすることにより、特に漏れ易い気体に有効である。
５）、孔明具にハンドル部を設けることにより、力のない女性でも簡単に孔を明けることができる効果を有する。
６）、孔明具に雄ネジ部を設けることにより前後に移動することができ、孔の大きさを必要に応じて設定できる効果を有する。
７）、配管用孔明具付分岐器具の連結部に、先端にシャワーヘッドを設けたホースを取り付けることにより、特に配管用孔明具付分岐器具の給水管に取り付けることにより、汚物が入ったバケツ（ポータブルトイレ用のバケツ）をトイレ内で洗浄でき、そのまま便器に流すことができる効果を有する。
【発明を実施するための最良の形態】
【実施例】
【０００８】  １は、配管用孔明具付分岐器具である。
２は、配管の一側面を挟持する半円弧状の溝部２ａを形成してなる配管止め具で、溝部２ａに水密ゴム等による止水材２ｂを設けると共に、４隅に連結ボルト（図示せず）を挿入するボルト孔２ｃを穿設してある。
３は、配管の他側面を挟持する上記と同様な止水材３ｂを設けた溝部３ａを形成すると共に、ホースを取り付ける雌ネジ３ｃ１と連通孔３ｃ２による連結部３ｃを設け、該連結部３ｃの連通孔３ｃ２に連通する雌ネジ３ｄ１を設けてなる孔明具取付部３ｄを設けてなる配管孔明連結具である。
なお、上記各ボルト孔２ｃに相対向する位置に雌ネジによる連結孔３ｅを設けてある。
４は、上記孔明具取付部３ｄに前後に移動すべく螺設して取り付けてなる孔明具で、軸４ａの先端に尖端状の孔明加工部４ｂを設け、後端にハンドル部４ｃを設けると共に、中間前方に止水材４ｄ（通称Ｏリング）を２箇所設け、後方に雄ネジ部４ｅを設けてなるものである。【０００９】  つぎに、洗浄器具の説明をする。
洗浄器具２１は、上記配管用孔明具付分岐器具１の連結部３ｃの雌ネジ３ｃ１にシャワーヘッド５ａを設けたホース５の下部５ｂを連結してなるものである。
なお、給水及び止水の切り替えができるレバー５ｃを設けてある。【００１０】  つづいて、配管用孔明具付分岐器具１の使用例について説明する。
例えば、本管ＨＫに流れる液体Ｅを分岐させて常時取り出したい場合、本管ＨＫに配管止め具２と配管孔明連結具３とボルトＢ―――にて連結し、挟持する。
つぎに、孔明具４のハンドル部４ｃを回転させ、孔明加工部４ｂにて本管ＨＫの側面に孔ＡＮを明ける。（この時、雄ネジ部４ｅが雌ネジ３ｄ１上を前進する）【００１１】  孔ＡＮを明けた後に、ハンドル部４ｃを逆回転させ孔明具４を後退させ、孔ＡＮを開放させる。【００１２】  この状態で、本管ＨＫ内に液体Ｅを流すことにより、分岐した液体Ｅ１が孔ＡＮを通って、連結部３ｃを通過し、外へ放出することができ、多種多様の用途に使用できるものである。
この時、液体Ｅ１は止水材４ｄにて阻止され、孔明具４側から流出することはない。【００１３】  最後に、洗浄器具２１の使用例について下記に述べる。
上記と同様に、トイレＴＯ内のタンクＴＡに設けた給水管Ｋに配管用孔明具付分岐器具１を取り付けた後、シャワーヘッド５ａを適当な位置に取り付ける。
この状態で、例えばポータブルトイレ（図示せず）のバケツ（図示せず）の汚物を便器ＢＫ内に流し込み、つづいてタンクＴＡのレバーを作動させ給水管ＫＳ内の水Ｍを流動させることにより孔ＡＮより連結部３を通ってホース５内に分岐した水Ｍ２が流入し、シャワーヘッド５ａより水Ｍ２が流出し、バケツ内を洗浄し、再度便器ＢＫ内に流し込む。
なお、水Ｍ１は吐水管ＴＳから流出し、タンクＴＡ内に溜まるものである。【００１４】  なお、上記実施例における止水材は目的に応じて程々の材質等を選択すればよい。
また、孔明加工部の形態は、ドリル型やポイチ型等、色々考えられるが、目的や配管の材質によって決めればよい。
さらに、使用用途は多種多様に考えられるもので、特に限定するものではない。
【図面の簡単な説明】
【００１５】
【図１】  本発明の配管用孔明具付分岐器具の一部縦断正面図。
【図２】  本発明の配管用孔明具付分岐器具の平面図。
【図３】  本発明の洗浄器具の一部を省略した一部縦断正面図。
【図４】  本発明の配管用孔明具付分岐器具の孔を明けている状態の一部縦断正面図。
【図５】  本発明の配管用孔明具付分岐器具の孔を明けた後の状態の一部縦断正面図。
【図６】  本発明の配管用孔明具付分岐器具の流体の状態を示す一部縦断正面図。
【図７】  本発明の洗浄器具における配管用孔明具付分岐器具の取付状態を示す一部縦断正面図。
【図８】  本発明の洗浄器具におけるトイレ内の取付状態を示す斜視図。
【符号の説明】
【００１６】１―――配管用孔明具付分岐器具
２―――配管止め具
３―――配管孔明連結具
４―――孔明具
５―――ホース
ＡＮ――孔
Ｍ―――水
ＴＯ――トイレ
ＢＫ――便器
Ｋ―――給水管
【図１】
2005120800.tif 000003
【図２】
2005120800.tif 000004
【図３】
2005120800.tif 000005
【図４】
2005120800.tif 000006
【図５】
2005120800.tif 000007
【図６】
2005120800.tif 000008
【図７】
2005120800.tif 000009
【図８】
2005120800.tif 000010